(57)【要約】【課題】ツインパネル構成の表示装置の低消費電力化を図るとともに、表示動作を行っていない第２の表示手段において意図しない表示が行われないようにする。【解決手段】第１液晶パネル１０は、それぞれ複数のゲートバスライン１４、ソースバスライン１６、ＴＦＴ２５および画素電極を有し、ソースドライバ１５が設けられている。第２液晶パネル２０は、それぞれ複数のゲートバスライン２４、ソースバスライン１６、ＴＦＴ２５および画素電極を有し、各ソースバスライン１６がスイッチングＴＦＴ１７を介して第１液晶パネル１０の対応するソースバスライン１６と接続されている。第１液晶パネル１０を表示させ、第２液晶パネル２０を表示させない状態において、第２液晶パネル２０の各ソースバスライン１６には、一時的にかつ反復して、第１液晶パネル１０のソースバスライン１６の平均電位が供給される。【選択図】図１
2008268976.tif 000002
【特許請求の範囲】
【請求項１】
複数のゲート信号線、複数のソース信号線、これらゲート信号線とソース信号線との各交差部近傍に配置され、スイッチング動作の制御端子が前記ゲート信号線に接続された第１のスイッチング手段、および第１のスイッチング手段を介して前記ソース信号線と接続された画素電極を有し、前記複数のソース信号線に表示データ信号を供給するソース信号線駆動回路が設けられている第１の表示手段と、
半導体素子からなる第２のスイッチング手段と、
それぞれ複数の前記ゲート信号線、ソース信号線、第１のスイッチング手段および画素電極を有し、各ソース信号線が第２のスイッチング手段を介して第１の表示手段の対応するソース信号線と接続され、前記ソース信号線駆動回路を第１の表示手段と共用する第２の表示手段と、
第１の表示手段を表示させかつ第２の表示手段を表示させない状態において、第２の表示手段の各ソース信号線に対して一時的にかつ反復して一定電位を供給する一定電位供給手段とを備え、
前記一定電位は、表示動作を行っている第１の表示手段におけるソース信号線の平均電位であることを特徴とする表示装置。
【請求項２】
複数のゲート信号線、複数のソース信号線、これらゲート信号線とソース信号線との各交差部近傍に配置され、スイッチング動作の制御端子が前記ゲート信号線に接続された第１のスイッチング手段、および第１のスイッチング手段を介して前記ソース信号線と接続された画素電極を有し、前記複数のソース信号線に表示データ信号を供給するソース信号線駆動回路が設けられている第１の表示手段と、
半導体素子からなる第２のスイッチング手段と、
それぞれ複数の前記ゲート信号線、ソース信号線、第１のスイッチング手段および画素電極を有し、各ソース信号線が第２のスイッチング手段を介して第１の表示手段の対応するソース信号線と接続され、前記ソース信号線駆動回路を第１の表示手段と共用する第２の表示手段と、
第２のスイッチング手段のオン／オフ動作を制御するとともに、第２のスイッチング手段をオフ動作させている期間中に、第２のスイッチング手段に一時的にかつ反復してオン動作する反復一時的オン動作を行わせ、かつこの反復一時的オン動作の期間中に、前記ソース信号線駆動回路から第１の表示手段の各ソース信号線に一定電位を出力させる制御手段とを備え、
前記一定電位は、表示動作を行っている第１の表示手段におけるソース信号線の平均電位であることを特徴とする表示装置。
【請求項３】
複数のゲート信号線、複数のソース信号線、これらゲート信号線とソース信号線との各交差部近傍に配置され、スイッチング動作の制御端子が前記ゲート信号線に接続された第１のスイッチング手段、および第１のスイッチング手段を介して前記ソース信号線と接続された画素電極を有し、前記複数のソース信号線に表示データ信号を供給するソース信号線駆動回路が設けられている第１の表示手段と、
半導体素子からなる第２のスイッチング手段と、
それぞれ複数の前記ゲート信号線、ソース信号線、第１のスイッチング手段および画素電極を有し、各ソース信号線が第２のスイッチング手段を介して第１の表示手段の対応するソース信号線と接続され、前記ソース信号線駆動回路を第１の表示手段と共用する第２の表示手段と、
第１の表示手段を表示させかつ第２の表示手段を表示させない状態において、第２の表示手段の各ソース信号線に対して一時的にかつ反復して一定電位を供給する一定電位供給手段と、
複数の電圧を出力する電源回路とを備え、
前記電源回路から前記ソース信号線駆動回路に供給される複数の電圧のうちから、表示動作を行っている第１の表示手段におけるソース信号線の平均電位に最も近い電圧を前記一定電位として使用することを特徴とする表示装置。
【請求項４】
複数のゲート信号線、複数のソース信号線、これらゲート信号線とソース信号線との各交差部近傍に配置され、スイッチング動作の制御端子が前記ゲート信号線に接続された第１のスイッチング手段、および第１のスイッチング手段を介して前記ソース信号線と接続された画素電極を有し、前記複数のソース信号線に表示データ信号を供給するソース信号線駆動回路が設けられている第１の表示手段と、
半導体素子からなる第２のスイッチング手段と、
それぞれ複数の前記ゲート信号線、ソース信号線、第１のスイッチング手段および画素電極を有し、各ソース信号線が第２のスイッチング手段を介して第１の表示手段の対応するソース信号線と接続され、前記ソース信号線駆動回路を第１の表示手段と共用する第２の表示手段と、
第２のスイッチング手段のオン／オフ動作を制御するとともに、第２のスイッチング手段をオフ動作させている期間中に、第２のスイッチング手段に一時的にかつ反復してオン動作する反復一時的オン動作を行わせ、かつこの反復一時的オン動作の期間中に、前記ソース信号線駆動回路から第１の表示手段の各ソース信号線に一定電位を出力させる制御手段と、
複数の電圧を出力する電源回路とを備え、
前記電源回路から前記ソース信号線駆動回路に供給される複数の電圧のうちから、表示動作を行っている第１の表示手段におけるソース信号線の平均電位に最も近い電圧を前記一定電位として使用することを特徴とする表示装置。
【請求項５】
前記反復一時的オン動作は第２の表示手段における垂直周期の整数倍の周期にて行われることを特徴とする請求項１から４の何れか１項に記載の表示装置。
【請求項６】
前記一定電位としての、表示動作を行っている第１の表示手段におけるソース信号線の平均電位に最も近い電圧を、さらに第２の表示手段の対向電極にも同時に供給することを特徴とする請求項３または４に記載の表示装置。
【請求項７】
前記反復一時的オン動作の期間中に、第２の表示手段の各ゲート信号線に対して前記一定電位を与えることを特徴とする請求項１から４の何れか１項に記載の表示装置。
【請求項８】
第２の表示手段は第１の表示手段よりも表示頻度が低い状態で使用されることを特徴とする請求項１から４の何れか１項に記載の表示装置。
【請求項９】
第１の表示手段と第２の表示手段との画素数は第１の表示手段よりも第２の表示手段の方が多いことを特徴とする請求項１から４の何れか１項に記載の表示装置。
【請求項１０】
第１の表示手段と第２の表示手段とは第１の筐体部に対して第２の筐体部を開閉可能な装置に設けられ、第１の表示手段は、第１の筐体部に対して第２の筐体部を閉じた折畳状態における第１または第２の筐体部の外面側に表示面を配して設けられ、第２の表示手段は、前記折畳状態における第１または第２の筐体部の内面側に表示面を配して設けられていることを特徴とする請求項１から４の何れか１項に記載の表示装置。
【請求項１１】
複数のゲート信号線、複数のソース信号線、これらゲート信号線とソース信号線との各交差部近傍に配置され、スイッチング動作の制御端子が前記ゲート信号線に接続された第１のスイッチング手段、および第１のスイッチング手段を介して前記ソース信号線と接続された画素電極を有する第１の表示手段と、それぞれ複数の前記ゲート信号線、ソース信号線、第１のスイッチング手段および画素電極を有する第２の表示手段とを備えた表示装置の駆動方法において、
第２の表示手段の各ソース信号線を第２の表示手段の対応する各ソース信号線と半導体素子からなる第２のスイッチング手段を介して接続し、
第２の表示手段のソース信号線に対して第１の表示手段のソース信号線を介して表示データ信号を供給し、
第１の表示手段を表示させかつ第２の表示手段を表示させない状態において、第２の表示手段の各ソース信号線に対して一時的にかつ反復して一定電位を供給し、
前記一定電位は、表示動作を行っている第１の表示手段におけるソース信号線の平均電位であることを特徴とする表示装置の駆動方法。
【請求項１２】
複数のゲート信号線、複数のソース信号線、これらゲート信号線とソース信号線との各交差部近傍に配置され、スイッチング動作の制御端子が前記ゲート信号線に接続された第１のスイッチング手段、および第１のスイッチング手段を介して前記ソース信号線と接続された画素電極を有する第１の表示手段と、それぞれ複数の前記ゲート信号線、ソース信号線、第１のスイッチング手段および画素電極を有する第２の表示手段とを備えた表示装置の駆動方法において、
第２の表示手段の各ソース信号線を第２の表示手段の対応する各ソース信号線と半導体素子からなる第２のスイッチング手段を介して接続し、
第２の表示手段のソース信号線に対して第１の表示手段のソース信号線を介して表示データ信号を供給し、
第２のスイッチング手段をオフ動作させている期間中に、第２のスイッチング手段に一時的にかつ反復してオン動作する反復一時的オン動作を行わせ、かつこの反復一時的オン動作の期間中に、第１の表示手段の各ソース信号線に一定電位を供給し、
前記一定電位は、表示動作を行っている第１の表示手段におけるソース信号線の平均電位であることを特徴とする表示装置の駆動方法。
【請求項１３】
複数のゲート信号線、複数のソース信号線、これらゲート信号線とソース信号線との各交差部近傍に配置され、スイッチング動作の制御端子が前記ゲート信号線に接続された第１のスイッチング手段、および第１のスイッチング手段を介して前記ソース信号線と接続された画素電極を有する第１の表示手段と、それぞれ複数の前記ゲート信号線、ソース信号線、第１のスイッチング手段および画素電極を有する第２の表示手段とを備えた表示装置の駆動方法において、
第２の表示手段の各ソース信号線を第２の表示手段の対応する各ソース信号線と半導体素子からなる第２のスイッチング手段を介して接続し、
第２の表示手段のソース信号線に対して第１の表示手段のソース信号線を介して表示データ信号を供給し、
第１の表示手段を表示させかつ第２の表示手段を表示させない状態において、第２の表示手段の各ソース信号線に対して一時的にかつ反復して一定電位を供給し、
前記ソース信号線駆動回路に供給される複数の電圧のうちから、表示動作を行っている第１の表示手段におけるソース信号線の平均電位に最も近い電圧を前記一定電位として使用することを特徴とする表示装置の駆動方法。
【請求項１４】
複数のゲート信号線、複数のソース信号線、これらゲート信号線とソース信号線との各交差部近傍に配置され、スイッチング動作の制御端子が前記ゲート信号線に接続された第１のスイッチング手段、および第１のスイッチング手段を介して前記ソース信号線と接続された画素電極を有する第１の表示手段と、それぞれ複数の前記ゲート信号線、ソース信号線、第１のスイッチング手段および画素電極を有する第２の表示手段とを備えた表示装置の駆動方法において、
第２の表示手段の各ソース信号線を第２の表示手段の対応する各ソース信号線と半導体素子からなる第２のスイッチング手段を介して接続し、
第２の表示手段のソース信号線に対して第１の表示手段のソース信号線を介して表示データ信号を供給し、
第２のスイッチング手段をオフ動作させている期間中に、第２のスイッチング手段に一時的にかつ反復してオン動作する反復一時的オン動作を行わせ、かつこの反復一時的オン動作の期間中に、第１の表示手段の各ソース信号線に一定電位を供給し、
前記ソース信号線駆動回路に供給される複数の電圧のうちから、表示動作を行っている第１の表示手段におけるソース信号線の平均電位に最も近い電圧を前記一定電位として使用することを特徴とする表示装置の駆動方法。
【請求項１５】
前記反復一時的オン動作は第２の表示手段における垂直周期の整数倍の周期にて行われることを特徴とする請求項１１から１４の何れか１項に記載の表示装置の駆動方法。
【請求項１６】
前記一定電位としての、表示動作を行っている第１の表示手段におけるソース信号線の平均電位に最も近い電圧を、さらに第２の表示手段の対向電極にも同時に供給することを特徴とする請求項１３または１４に記載の表示装置の駆動方法。
【請求項１７】
前記反復一時的オン動作の期間中に、第２の表示手段の各ゲート信号線に対して前記一定電位を与えることを特徴とする請求項１１から１４の何れか１項に記載の表示装置の駆動方法。
【発明の詳細な説明】
【技術分野】
【０００１】
本発明は、アクティブマトリクス型の複数の表示パネルを備えた液晶表示装置等の表示装置およびその駆動方法に関するものである。
【背景技術】
【０００２】
近年、例えば携帯装置、特に折畳式の携帯電話機には、２枚の表示パネルからなるいわゆるツインパネルが多用されている。図１８には、その一例としてメインパネル５８２とサブパネル５８３とからなるツインパネル５８１の回路図を示す。
【０００３】
メインパネル５８２は、基板上に薄膜トランジスタ（ＴＦＴ:Thin Film Transistor）
５９２が設けられたＴＦＴ基板５８４と、このＴＦＴ基板５８４に対向する対向基板５８５と、ＴＦＴ基板５８４と対向基板５８５との間に挟まれる表示媒体としての液晶層（ＬＣ）５９４とを含んでいる。
【０００４】
ＴＦＴ基板５８４上には、複数のゲートバスライン５８８と複数のソースバスライン５８９とが設けられている。このゲートバスライン５８８とソースバスライン５８９との交差部の近傍に、ＴＦＴ５９２が配置されている。このＴＦＴ５９２は、ゲートがゲートバスライン５８８に接続され、ソースがソースバスライン５８９に接続されるとともに、ドレインが画素電極に接続されている。そして、この画素電極と、対向基板５８５に設けられた対向電極（ＣＯＭ）５９３との間で、画素としてのＬＣ５９４に電圧を印加する。これを各ＴＦＴ５９２において行うことによって、画像を表示する。
【０００５】
また、メインパネル５８２には、さらにゲートドライバ５９０とソースドライバ５９１とが備えられている。ゲートドライバ５９０からの引き出し線がゲートバスライン５８８に接続され、ソースドライバ５９１からの引き出し線がソースバスライン５８９に接続されている。そして、ゲートドライバ５９０、ソースドライバ５９１から、それぞれのバスラインに、ゲート信号電圧、表示データ信号が印加される。
【０００６】
一方、サブパネル５８３は、基板上に薄膜トランジスタ５９２が設けられたＴＦＴ基板５８６と、このＴＦＴ基板５８６に対向する対向基板５８７と、ＴＦＴ基板５８６と対向基板５８７との間に挟まれる表示媒体としての液晶層（ＬＣ）５９４とを含んでいる。
【０００７】
このサブパネル５８３は、図示しないＦＰＣ(Flexible Printed Circuits)を介してメ
インパネル５８２と接続されている。これによって、メインパネル５８２のゲートドライバ５９０およびソースドライバ５９１から、メインパネル５８２内の配線とＦＰＣ(Flexible Printed Circuits)とを介して、サブパネル５８３の各バスラインに、ゲート信号電
圧または表示データ信号が印加される。
【０００８】
ＴＦＴ基板５８６上には、複数のゲートバスライン５８８と複数のソースバスライン５８９とが設けられている。このゲートバスライン５８８とソースバスライン５８９との交差部の近傍に、ＴＦＴ５９２が配置されている。このＴＦＴ５９２は、ゲートがゲートバスライン５８８に接続され、ソースがソースバスライン５８９に接続されるとともに、ドレインが画素電極に接続されている。そして、この画素電極と、対向基板５８７に設けられた対向電極（ＣＯＭ）５９３との間で、画素としてのＬＣ５９４に電圧を印加する。これを各ＴＦＴ５９２において行うことによって、画像を表示する。これによって、メインパネル５８２またはサブパネル５８３において、画像を表示することができる。
【０００９】
ツインパネルを備えた具体的な装置を開示する従来文献としては、例えば、特開２００１−０６７０４９（第１従来技術）、特開２００１−２８２１４５（第２従来技術）および特開２００３−１３１２５０（第３従来技術）がある。
【００１０】
第１従来技術には、第１液晶表示部（第１液晶表示装置）と第２液晶表示部（第２液晶表示装置）とからなるツインパネルを備えた折畳式の移動通信端末機が開示されている。この移動通信端末機では、本体部に対してカバー部（フォルダカバー）を開閉可能であり、第１液晶表示部がカバー部の内面（折り畳まれた状態における内面）に設けられ、第２液晶表示部がカバー部の外面（折り畳まれた状態における外面）に設けられている。第１および第２液晶表示部は、１個のドライバによって駆動され、このドライバは第１液晶表示部側に設けられている。即ち、ドライバからの出力は第１液晶表示部を介して第２液晶部に入力される。第２液晶表示部は第１液晶表示部よりも表示面積が小さく（特許文献１の図４、図５参照）、第２液晶表示部には時刻の他、概略的な情報が表示され、第１液晶表示部には多様な情報が表示される。また、カバー部が閉じた状態では第２液晶表示部のみによる表示が行われ、カバー部が開いた状態では第１液晶表示部のみによる表示が行われる。
【００１１】
第２従来技術には、第１従来技術と同様に、第１液晶表示部（内側液晶表示部）と第２液晶表示部（外側液晶表示部）とからなるツインパネルを備えた折畳式の携帯電話機が開示されている。この携帯電話機は、本体部（下部筐体）に対してカバー部（上部筐体）を開閉可能であり、第１液晶表示部がカバー部の内面（折り畳まれた状態における内面）に設けられ、第２液晶表示部がカバー部の外面（折り畳まれた状態における外面）に設けられている。第１および第２液晶表示部は、１個のドライバによって駆動され、このドライバは第１液晶表示部側に設けられている。即ち、ドライバからの出力は第１液晶表示部を介して第２液晶表示部に入力される。第２液晶表示部は第１液晶表示部よりも表示面積が小さくなっている（特許文献２の図３、図４参照）。また、カバー部が閉じた状態では第２液晶表示部のみによる表示が行われ、カバー部が開いた状態では第１液晶表示部のみによる表示が行われる。
【００１２】
第３従来技術には、第１従来技術と同様に、第１液晶表示部（ＬＣＤ）と第２液晶表示部（ＬＣＤ）とからなるツインパネルを備えた折畳式の携帯電話機が開示されている。この携帯電話機では、本体部に対してカバー部（蓋）を開閉可能であり、第１液晶表示部がカバー部の内面（折り畳まれた状態における内面）に設けられ、第２液晶表示部がカバー部の外面（折り畳まれた状態における外面）に設けられている。第１および第２液晶表示部は、１個のドライバによって駆動され、このドライバは第１液晶表示部側に設けられている。即ち、ドライバからの出力は第１液晶表示部を介して第２液晶部に入力される。第２液晶表示部は第１液晶表示部よりも表示面積が小さく（特許文献３の図１、図１０参照）、第２液晶表示部には着信があったことや年月日等の簡単な情報が表示され、第１液晶表示部には主要な情報が表示される。
【特許文献１】特開２００１−０６７０４９（平成１３年０３月１６日公開）
【特許文献２】特開２００１−２８２１４５（平成１３年１０月１２日公開）
【特許文献３】特開２００３−１３１２５０（平成１５年０５月０８日公開）
【発明の開示】
【発明が解決しようとする課題】
【００１３】
上記のように、ツインパネルからなる表示装置は、携帯電話機などの携帯装置に多用されており、低消費電力化が要求されている。しかしながら、上記従来の装置での低消費電力化は、十分な対策が取られておらず、不十分である。
【００１４】
したがって、本発明は、十分な低消費電力化が可能な液晶表示装置およびその駆動方法
の提供を目的としている。
【課題を解決するための手段】
【００１５】
本発明の表示装置は、複数のゲート信号線、複数のソース信号線、これらゲート信号線とソース信号線との各交差部近傍に配置され、スイッチング動作の制御端子が前記ゲート信号線に接続された第１のスイッチング手段、および第１のスイッチング手段を介して前記ソース信号線と接続された画素電極を有し、前記複数のソース信号線に表示データ信号を供給するソース信号線駆動回路が設けられている第１の表示手段と、半導体素子からなる第２のスイッチング手段と、それぞれ複数の前記ゲート信号線、ソース信号線、第１のスイッチング手段および画素電極を有し、各ソース信号線が第２のスイッチング手段を介して第１の表示手段の対応するソース信号線と接続され、前記ソース信号線駆動回路を第１の表示手段と共用する第２の表示手段と、第２のスイッチング手段がオフ動作している期間中に、第２の表示手段の各ソース信号線に対して一時的にかつ反復して一定電位を供給する一定電位供給手段とを備えていることを特徴としている。
【００１６】
本発明の表示装置は、複数のゲート信号線、複数のソース信号線、これらゲート信号線とソース信号線との各交差部近傍に配置され、スイッチング動作の制御端子が前記ゲート信号線に接続された第１のスイッチング手段、および第１のスイッチング手段を介して前記ソース信号線と接続された画素電極を有し、前記複数のソース信号線に表示データ信号を供給するソース信号線駆動回路が設けられている第１の表示手段と、半導体素子からなる第２のスイッチング手段と、それぞれ複数の前記ゲート信号線、ソース信号線、第１のスイッチング手段および画素電極を有し、各ソース信号線が第２のスイッチング手段を介して第１の表示手段の対応するソース信号線と接続され、前記ソース信号線駆動回路を第１の表示手段と共用する第２の表示手段と、第２のスイッチング手段のオン／オフ動作を制御するとともに、第２のスイッチング手段をオフ動作させている期間中に、第２のスイッチング手段に一時的にかつ反復してオン動作する反復一時的オン動作を行わせ、かつこの反復一時的オン動作の期間中に、前記ソース信号線駆動回路から第１の表示手段の各ソース信号線に一定電位を出力させる制御手段とを備えていることを特徴としている。
【００１７】
また、本発明の表示装置の駆動方法は、複数のゲート信号線、複数のソース信号線、これらゲート信号線とソース信号線との各交差部近傍に配置され、スイッチング動作の制御端子が前記ゲート信号線に接続された第１のスイッチング手段、および第１のスイッチング手段を介して前記ソース信号線と接続された画素電極を有する第１の表示手段と、それぞれ複数の前記ゲート信号線、ソース信号線、第１のスイッチング手段および画素電極を有する第２の表示手段とを備えた表示装置の駆動方法において、第２の表示手段の各ソース信号線を第２の表示手段の対応する各ソース信号線と半導体素子からなる第２のスイッチング手段を介して接続し、第２の表示手段のソース信号線に対して第１の表示手段のソース信号線を介して表示データ信号を供給し、第２のスイッチング手段をオフ動作させている期間中に、第２の表示手段の各ソース信号線に対して一時的にかつ反復して一定電位を供給することを特徴としている。
【００１８】
また、本発明の表示装置の駆動方法は、複数のゲート信号線、複数のソース信号線、これらゲート信号線とソース信号線との各交差部近傍に配置され、スイッチング動作の制御端子が前記ゲート信号線に接続された第１のスイッチング手段、および第１のスイッチング手段を介して前記ソース信号線と接続された画素電極を有する第１の表示手段と、それぞれ複数の前記ゲート信号線、ソース信号線、第１のスイッチング手段および画素電極を有する第２の表示手段とを備えた表示装置の駆動方法において、第２の表示手段の各ソース信号線を第２の表示手段の対応する各ソース信号線と半導体素子からなる第２のスイッチング手段を介して接続し、第２の表示手段のソース信号線に対して第１の表示手段のソース信号線を介して表示データ信号を供給し、第２のスイッチング手段をオフ動作させている期間中に、第２のスイッチング手段に一時的にかつ反復してオン動作する反復一時的オン動作を行わせ、かつこの反復一時的オン動作の期間中に、第１の表示手段の各ソース信号線に一定電位を供給することを特徴としている。
【００１９】
上記の構成によれば、第１の表示手段が表示動作を行い、第２の表示手段が表示動作を停止する場合には、第２の表示手段を第１の表示手段から切り離すことができる。これにより、第２の表示手段が接続されることによって生じる電気的負荷が軽減され、消費電力を低減することができる。
【００２０】
また、第２の表示手段を第１の表示手段から切り離している期間中、即ち、第２のスイッチング手段をオフ動作させている期間中において、第２の表示手段の各ソース信号線に対して一時的にかつ反復して一定電位が供給される。したがって、半導体素子からなる第２のスイッチング手段ではオフ状態であってもリーク電流が発生し、第２の表示手段における各ソース信号線の電位は漸次変化しようとするものの、一定電位に保持される。これにより、表示動作を行っていない第２の表示手段においては、画素電極と対向電極との電位差が一定となり、この電位差が変化することによって意図しない表示が行われる事態を防止することができる。
【００２１】
また、第２のスイッチング手段をオフ動作させている期間中において、第２のスイッチング手段に反復一時的オン動作をさせなかった場合、第２のスイッチング手段のリーク電流により第２の表示手段におけるソース信号線の電位は、表示動作を行っている第１の表示手段におけるソース信号線の平均電位に収束する。この平均電位は、第１の表示手段における表示画像によってはソース信号線毎に微妙に異なる場合があり、この場合には第２の表示手段の各画素電極と対向電極との各電位差が不均一となり、第２の表示手段の表示画面が見苦しい状態となる。したがって、上記のように、第２の表示手段の各ソース信号線に対して反復一時的オン動作により前記一定電位を供給すれば、このような問題も解消可能である。
【００２２】
上記の表示装置および表示装置の駆動方法において、前記反復一時的オン動作は第２の表示手段における垂直周期の整数倍の周期にて行われる構成としてもよい。
【００２３】
上記の構成によれば、反復一時的オン動作の制御が容易となる。
【００２４】
上記の表示装置および表示装置の駆動方法において、前記一定電位は、表示動作を行っている第１の表示手段におけるソース信号線の平均電位である構成としてもよい。
【００２５】
上記の構成によれば、表示動作を行っていない第２の表示手段における画素電極と対向電極との電位差を一定にする上において、第２のスイッチング手段のリーク電流による電力損失を削減することができる。即ち、上記平均電位は、反復一時的オン動作を行わない場合に、第２のスイッチング手段のリーク電流により第２の表示手段におけるソース信号線の電位が収束する電位である。したがって、第２の表示手段のソース信号線に上記平均電位を与えておけば、上記リーク電流による電力損失を削減することができる。
【００２６】
上記の表示装置は、複数の電圧を出力する電源回路を備え、この前記電源回路から前記ソース信号線駆動回路に供給される複数の電圧のうちから、表示動作を行っている第１の表示手段におけるソース信号線の平均電位に最も近い電圧を前記一定電位として使用する構成としてもよい。
【００２７】
また、上記の表示装置の駆動方法は、前記ソース信号線駆動回路に供給される複数の電圧のうちから、表示動作を行っている第１の表示手段におけるソース信号線の平均電位に最も近い電圧を前記一定電位として使用する構成としてもよい。
【００２８】
上記の構成によれば、上記平均電位を出力する専用の回路が不要であるとともに、電力消費を低減することができる。即ち、上記平均電位を正確に作成する回路を別途設けた場合、その回路にて電力消費が生じる。一方、既存の電源回路を使用し、その複数の出力電圧のうちから平均電位に最も近い出力電圧を選んで利用した場合には別途回路を駆動するための電力消費を低減することができる。
【００２９】
上記の表示装置および表示方法は、前記一定電位としての、表示動作を行っている第１の表示手段におけるソース信号線の平均電位に最も近い電圧を、さらに第２の表示手段の対向電極にも同時に供給する構成としてもよい。
【００３０】
上記の構成よれば、画素電極と対向電極との間の電位差を容易に無くすことができ、表示動作を行っていない第２の表示手段において意図しない表示が行われる事態を適切に防止することができる。
【００３１】
上記の表示装置および表示装置の駆動方法は、前記反復一時的オン動作の期間中に、第２の表示手段の各ゲート信号線に対して前記一定電位を与える構成としてもよい。
【００３２】
上記の構成によれば、表示動作を行っていない第２の表示手段における意図しない表示をさらに適切に防止することができる。即ち、ゲート信号線と対向電極との電位差が大きい場合には、この電位差の影響が第２の表示手段の表示に現れる場合がある。そこで、反復一時的オン動作の期間中に、第２の表示手段の各ゲート信号線にも前記一定電位、即ち、対向電極の電位と同レベルの電位、ＧＮＤレベルの電位、表示動作を行っている第１の表示手段におけるソース信号線の平均電位、あるいはソース信号線駆動回路に供給される複数の電圧のうちから、表示動作を行っている第１の表示手段におけるソース信号線の平均電位に最も近い電圧を与えるようにすれば、ゲート信号線の電位による第２の表示手段の表示への影響を回避することができる。
【００３３】
上記の表示装置は、第２の表示手段は第１の表示手段よりも表示頻度が低い状態で使用される構成としてもよい。
【００３４】
上記の構成によれば、表示データ信号は、相対的に表示頻度が高い第１の表示手段のソース信号線を介して相対的に表示頻度が低い第２の表示手段のソース信号線に供給される。したがって、表示装置の使用状態において、第１の表示手段のソース信号線に対して第２の表示手段のソース信号線が接続されている時間が短くなり、消費電力の低減を促進することができる。
【００３５】
上記の表示装置は、第１の表示手段と第２の表示手段との画素数は第１の表示手段よりも第２の表示手段の方が多い構成としてもよい。
【００３６】
上記の構成によれば、相対的に画素数が少ない、即ち解像度が小さい第１の表示手段、および相対的に画素数が多い、即ち解像度が高い第２の表示手段を備えた構成では、通常、相対的に画素数が少ない第１の表示手段の方が表示頻度の高い表示用途に使用される。したがって、消費電力を低減する上で好適な構成となる。
【００３７】
上記の表示装置は、第１の表示手段と第２の表示手段とは第１の筐体部に対して第２の筐体部を開閉可能な装置に設けられ、第１の表示手段は、第１の筐体部に対して第２の筐体部を閉じた折畳状態における第１または第２の筐体部の外面側に表示面を配して設けられ、第２の表示手段は、前記折畳状態における第１または第２の筐体部の内面側に表示面を配して設けられている構成としてもよい。
【００３８】
上記の構成によれば、表示装置を備え、第１の筐体部に対して第２の筐体部を開閉可能な装置においては、表示装置の使用状態において、第１の筐体部に対して第２の筐体部を閉じた折畳状態となる頻度が高くなる。したがって、第１の表示手段が折畳状態における第１または第２の筐体部の外面側に表示面を配して設けられ、第２の表示手段が折畳状態における第１または第２の筐体部の内面側に表示面を配して設けられている構成は、消費電力を低減する上で好適である。
【発明の効果】
【００３９】
本発明の表示装置は、ソース信号線駆動回路が設けられている第１の表示手段と、半導体素子からなる第２のスイッチング手段と、各ソース信号線が第２のスイッチング手段を介して第１の表示手段の対応するソース信号線と接続され、前記ソース信号線駆動回路を第１の表示手段と共用する第２の表示手段と、第２のスイッチング手段がオフ動作している期間中に、第２の表示手段の各ソース信号線に対して一時的にかつ反復して一定電位を供給する一定電位供給手段とを備えている構成である。
【００４０】
本発明の表示装置の駆動方法は、第１の表示手段と第２の表示手段とを備えた表示装置の駆動方法において、第２の表示手段の各ソース信号線を第２の表示手段の対応する各ソース信号線と半導体素子からなる第２のスイッチング手段を介して接続し、第２の表示手段のソース信号線に対して第１の表示手段のソース信号線を介して表示データ信号を供給し、第２のスイッチング手段をオフ動作させている期間中に、第２の表示手段の各ソース信号線に対して一時的にかつ反復して一定電位を供給する構成である。
【００４１】
これにより、第１の表示手段が表示動作を行い、第２の表示手段が表示動作を停止する場合には、第２の表示手段を第１の表示手段から切り離すことができる。したがって、第２の表示手段が接続されることによって生じる電気的負荷が軽減され、消費電力を低減することができる。
【００４２】
また、第２のスイッチング手段をオフ動作させている期間中において、第２の表示手段の各ソース信号線に対して一時的にかつ反復して一定電位が供給される。したがって、半導体素子からなる第２のスイッチング手段ではオフ状態であってもリーク電流が発生し、第２の表示手段における各ソース信号線の電位は漸次変化しようとするものの、一定電位に保持される。したがって、表示動作を行っていない第２の表示手段においては、画素電極と対向電極との電位差が一定となり、この電位差が変化することによって意図しない表示が行われる事態を防止することができる。
【００４３】
また、第２の表示手段の各画素電極と対向電極との各電位差が不均一となり、第２の表示手段の表示画面が見苦しい状態となる問題も解消可能である。
【発明を実施するための最良の形態】
【００４４】
〔実施の形態１〕
本発明の実施の一形態を図面に基づいて以下に説明する。
図１には本実施の形態の液晶表示装置（表示装置）１の回路図を示す。液晶表示装置１は図１に示すように、第１液晶パネル（第１の表示手段）１０と第２液晶パネル（第２の表示手段）２０とを備えたツインパネル構成である。
【００４５】
第１液晶パネル１０は、ＴＦＴ（薄膜トランジスタ:Thin Film Transistor）２５が設
けられたＴＦＴ基板１１と、このＴＦＴ基板１１に対向する対向基板１２と、ＴＦＴ基板１１と対向基板１２との間に挟まれる表示媒体としての液晶層とを含んでいる。この液晶層は液晶キャパシタ２６を構成する。
【００４６】
ＴＦＴ基板１１上には、複数のゲートバスライン（ゲート信号線）１４と複数のソースバスライン（ソース信号線）１６とが設けられている。このゲートバスライン１４とソースバスライン１６との交差部の近傍にＴＦＴ（第１のスイッチング手段）２５が配置されている。ＴＦＴ２５は、ゲートがゲートバスライン１４に接続され、ソースがソースバスライン１６に接続されるとともに、ドレインが画素電極に接続されている。そして、対向基板１２に設けられた対向電極（ＣＯＭ）２７と前記画素電極との間において画素を構成する液晶キャパシタ２６に電圧を印加する。これを各ＴＦＴ２５において行うことによって画像が表示される。
【００４７】
第２液晶パネル２０は、ＴＦＴ２５が設けられたＴＦＴ基板２１と、このＴＦＴ基板２１に対向する対向基板２２と、ＴＦＴ基板２１と対向基板２２との間に挟まれる表示媒体としての液晶層とを含んでいる。この液晶層は液晶キャパシタ２６を構成する。
【００４８】
ＴＦＴ基板２１上には、複数のゲートバスライン２４と複数のソースバスライン１６とが設けられている。このゲートバスライン１４とソースバスライン１６との交差部の近傍にＴＦＴ２５が配置されている。ＴＦＴ２５は、ゲートがゲートバスライン２４に接続され、ソースがソースバスライン１６に接続されるとともに、ドレインが画素電極に接続されている。そして、対向基板２２に設けられた対向電極（ＣＯＭ）２７と前記画素電極との間において画素を構成する液晶キャパシタ２６に電圧を印加する。これを各ＴＦＴ２５において行うことによって画像が表示される。
【００４９】
なお、図１において、ソースバスライン１６、ゲートバスライン１４，２４の番号に付記している−Ｌ，−Ｍ，−Ｎなどの符号は各ラインでのライン番号を表し、Ｌ，Ｍ，Ｎは各ラインの総数を表している。以下の説明において、特定の番号のラインを対象としない場合には、−Ｌ，−Ｍ，−Ｎなどの符号は付記せずに記載する。
【００５０】
本実施の形態の液晶表示装置１において、第１液晶パネル１０のソースバスライン１６と第２液晶パネル２０のソースバスライン１６とは個々に対応している。即ち、ゲートバスライン１４に対応するソースバスライン１６とゲートバスライン２４に対応するソースバスライン１６は、スイッチ部１９、および可撓性を有する接続部材である例えばＦＰＣ(Flexible Printed Circuits)３０を介して互いに導通可能となっている。スイッチ部１９は第１液晶パネル１０に設けられており、ＦＰＣ３０は第１液晶パネル１０と第２液晶パネル２０との間に設けられている。なお、スイッチ部１９の配置位置は第１液晶パネル１０に限定されず、第２液晶パネル２０あるいは第１液晶パネル１０と第２液晶パネル２０との間であってもよい。
【００５１】
スイッチ部１９は、スイッチングＴＦＴ（第２のスイッチング手段）１７とスイッチング制御信号線１８とを有する。スイッチングＴＦＴ１７は、第１液晶パネル１０のソースバスライン１６と第２液晶パネル２０のソースバスライン１６との接続をオン／オフするように、ソースバスライン１６ごとに設けられている。スイッチング制御信号線１８は、ゲートバスライン１４の方向に形成され、スイッチングＴＦＴ１７をオン／オフするためのスイッチング制御信号を各スイッチングＴＦＴ１７のゲートに与える。スイッチング制御信号はソースドライバ（ソース信号線駆動回路、一定電位供給手段）１５からスイッチング制御信号線１８に供給される。
【００５２】
第１液晶パネル１０と第２液晶パネル２０とにおいて、ゲートバスライン１４、２４を駆動するゲートドライバ（走査信号線駆動回路）は、それぞれ専用のゲートドライバ１３，２３が備えられ、ソースバスライン１６を駆動するソースドライバは、第１液晶パネル１０と第２液晶パネル２０とで共用のソースドライバ１５が備えられている。ゲートドライバ１３，２３からゲートバスライン１４，２８にはゲート信号（ゲート選択信号）が出力され、ソースドライバ１５からソースバスライン１６には表示データ信号が出力される。ソースドライバ１５は第１液晶パネル１０側に設けられており、第２液晶パネル２０への表示データ信号は第１液晶パネル１０を介して供給される。
【００５３】
ここで、液晶表示装置１が一つの装置に備えられる場合、第１液晶パネル１０は第２液晶パネル２０よりも表示頻度が高い（使用時間が長い）表示パネルとして使用される。例えば、第１液晶パネル１０は、適用された装置において、時刻、その装置の現在の状態、あるいは何らかの概要情報を示す表示装置として使用され、第２液晶パネル２０は、例えば操作者の操作に基づいて表示動作を開始する、第１液晶パネル１０での表示情報よりも詳細な情報（何らかの詳細情報）を表示する表示装置として使用される。
【００５４】
具体的には、例えば図２（ａ）（ｂ）に示すように、本体部（第１の筐体部）４１に対してカバー部（第２の筐体部）４２を開閉可能な折畳式の携帯電話機４０において、第１液晶パネル１０はカバー部４２の外面（折り畳まれた状態における外面）に設けられ、第２液晶パネル２０はカバー部４２の内面（折り畳まれた状態における内面）に設けられる。この状態におけるカバー部４２の要部の縦断面図を図３に示す。同図に示すように、第１液晶パネル１０と第２液晶パネル２０とは、カバー部４２内部において背中合わせに対向した状態に設けられている。
【００５５】
上記のように、液晶表示装置１では、表示頻度の高い方の第１液晶パネル１０側にソースドライバ１５を設け、２個の表示パネル（第１および第２液晶パネル１０，２０）を１個の駆動回路（ソースドライバ１５）によって駆動し、かつスイッチ部１９によって２個の表示パネル（第１および第２液晶パネル１０，２０）を切り離せるようにしている。
【００５６】
上記の携帯電話機４０において、電話による通話時、電子メールの送信操作時および受信メールについての内容確認時等の使用時にはカバー部４２を開いた状態とする。この場合には、第１液晶パネル１０の表示動作がオフとなり、第２液晶パネル２０の表示動作がオンとなる。一方、カバー部４２を閉じた待ち受け状態（電源オン状態）においては、第１液晶パネル１０の表示動作がオンとなり、第２液晶パネル２０の表示動作がオフとなる。携帯電話機４０においては、通常、例えば一日の内でカバー部４２を開いている状態よりもカバー部４２を閉じている状態の方が多いので、第１液晶パネル１０は第２液晶パネル２０よりも表示頻度が高くなる。
【００５７】
上記の液晶表示装置１において、カバー部４２を閉じた状態では第１液晶パネル１０のみの表示動作がオン状態となり、第２液晶パネル２０は表示動作がオフ状態となる。この場合、ソースドライバ１５からのスイッチング制御信号によってスイッチ部１９の全てのスイッチングＴＦＴ１７がオフとなって、ソースドライバ１５からの表示データ信号は第２液晶パネル２０のソースバスライン１６へは供給されない。また、ゲートドライバ１３は動作を行う一方、ゲートドライバ２３は動作を停止する。
【００５８】
なお、ソースドライバ１５からのスイッチング制御信号の出力は例えば次のようにして行われる。例えば、カバー部４２を閉じた状態が携帯電話機４０に設けられた開閉検出手段としての例えば開閉検出スイッチ（図示せず）にて検出され、その検出信号が制御手段（図示せず）に入力され、この制御手段からの指令に基づいて、ソースドライバ１５からスイッチング制御信号が出力される。
【００５９】
一方、カバー部４２を開いた状態では第２液晶パネル２０のみの表示動作がオン状態となり、第１液晶パネル１０は表示動作がオフ状態となる。この場合、ソースドライバ１５からのスイッチング制御信号によってスイッチ部１９の全てのスイッチングＴＦＴ１７がオンとなって、ソースドライバ１５からの表示データ信号は第２液晶パネル２０のソースバスライン１６へ供給される。また、ゲートドライバ１３は動作を停止する一方、ゲートドライバ２３は動作を行う。
【００６０】
次に、上記の第１および第２液晶パネル１０，２０の表示動作についてさらに詳細に説明する。
【００６１】
第１液晶パネル１０を表示させる場合、図４に示すように、ソースバスライン１６にはソースドライバ１５から表示データ信号が印加され、ゲートバスライン１４にはゲートドライバ１３からＴＦＴ２５をオン／オフするためのゲート信号が印加される。このとき、ゲートバスライン１４の電圧がＨｉｇｈになると、そのゲートバスライン１４に接続されているＴＦＴ２５がオンとなり、ソースバスライン１６に印加されている表示データ信号が画素（液晶キャパシタ２６）に書き込まれる。
【００６２】
第１液晶パネル１０の表示駆動においては、ソースバスライン１６−１〜１６−Ｌに表示データ信号を印加し、ゲートバスライン１４−１〜１４−Ｍを線順次駆動することにより、１画面の表示（書き込み）を繰り返し行う。
【００６３】
このとき、第２液晶パネル２０は表示を行わないので、ソースドライバ１５からスイッチング制御信号線１８にＬｏｗ電圧（スイッチング制御信号）を印加して、スイッチ部１９の全てのスイッチングＴＦＴ１７をオフとし、第２液晶パネル２０のソースバスライン１６（１６−１〜１６−Ｌ）を第１液晶パネル１０のソースバスライン１６（１６−１〜１６−Ｌ）から電気的に切り離す。また、このとき、第２液晶パネル２０のゲートバスライン２４の駆動も行わない。
【００６４】
上記の動作では、相対的に表示頻度の高い第１液晶パネル１０を表示させる場合に、第２液晶パネル２０の負荷を電気的に切り離す。したがって、液晶表示装置１では、消費電力の低減を実現できる。
【００６５】
一方、第２液晶パネル２０を表示させる場合、図５に示すように、ソースバスライン１６にはソースドライバ１５から表示データ信号が印加され、ゲートバスライン２４にはゲートドライバ２３からＴＦＴ２５をオン／オフするためのゲート信号が印加される。このとき、ゲートバスライン２４の電圧がＨｉｇｈになると、そのゲートバスライン２４に接続されているＴＦＴ２５がオンとなり、ソースバスライン１６に印加されている表示デー
タ信号が画素（液晶キャパシタ２６）に書き込まれる。
【００６６】
第２液晶パネル２０の表示駆動においては、ソースバスライン１６−１〜１６−Ｌに表示データ信号を印加し、ゲートバスライン２４−１〜２４−Ｎを線順次駆動することにより、１画面の表示（書き込み）を繰り返し行う。
【００６７】
このとき、第１液晶パネル１０は表示を行わないものの、第２液晶パネル２０に表示データ信号を印加するため、ソースドライバ１５からスイッチング制御信号線１８にＨｉｇｈ電圧（スイッチング制御信号）を印加して、スイッチ部１９のスイッチングＴＦＴ１７を全てオンにしておく。ただし、ゲートバスライン１４−１〜１４−Ｍの駆動は行わない。
【００６８】
上記の動作では、第２液晶パネル２０を表示させる場合に、第１液晶パネル１０の負荷を電気的に切り離すことができず、余分な電力を必要とする。しかしながら、第２液晶パネル２０は表示頻度の低い表示パネルであり、この状態が生じる頻度は低い。一方、表示頻度が高い第１液晶パネル１０を表示させる場合には、第２液晶パネル２０を電気的に切り離すので、液晶表示装置１全体としては消費電力の低減を実現できる。
【００６９】
なお、上記の電気的負荷は、主にゲートバスライン１４とクロスする箇所での絶縁部の容量、およびＴＦＴ２５部分での寄生容量などに起因するものである。
【００７０】
また、携帯電話機４０における第１液晶パネル１０と第２液晶パネル２０の配置形態は上記のものに限定されない。例えば、携帯電話機４０を第１の筐体部に対して第２の筐体部を開閉可能な装置と見た場合、第１液晶パネル１０は、第１の筐体部に対して第２の筐体部を閉じた状態における第１または第２の筐体部の外面側に表示面を配して設けられ、第２液晶パネル２０は、第１の筐体部に対して第２の筐体部を閉じた状態における第１または第２の筐体部の内面側に表示面を配して設けられていればよい。この点は、後述のサブパネル１００とメインパネル２００との関係においても同様である。
【００７１】
ここで、本実施の形態の液晶表示装置１では、上記のように、ソースドライバ１５が設けられている側の第１液晶パネル１０のみを表示させ、ソースドライバ１５が設けられていない側の第２液晶パネル２０を表示させない場合に、スイッチ部１９によって第２液晶パネル２０を第１液晶パネル１０から切り離している。この場合には、第２液晶パネル２０の表示において次のような不具合が発生する。
【００７２】
即ち、スイッチ部１９のスイッチングＴＦＴ１７は、オフ状態の抵抗値がオン状態の抵抗値の１０００倍以上となるものの、オフ状態において絶縁状態となる訳ではなく、一定のリーク電流が発生する。このリーク電流により、駆動されていない側の第２液晶パネル２０におけるソースバスライン１６の電位は漸次変化して行き、最終的には駆動されている側の第１液晶パネル１０におけるソースバスライン１６の電圧の平均電圧に収束する。このため、第２液晶パネル２０のＴＦＴ２５のドレイン、即ちドレインと接続されている画素電極に漸次変化するソースバスライン１６の電圧が与えられ、この電圧と対向電極の電圧との電位差の変化に応じて第２液晶パネル２０の表示状態が変化する。この結果、駆動されていない第２液晶パネル２０において意図しない表示が行われることになる。なお、対向電極には周知のように対向電極電圧供給回路（図示せず）から対向電極電圧が供給されている。
【００７３】
また、スイッチ部１９をオフ動作させている期間中（第２液晶パネル２０が表示動作を行わない期間中）、において、スイッチ部１９に反復一時的オン動作をさせなかった場合、スイッチ部１９におけるスイッチングＴＦＴ１７のリーク電流により第２液晶パネル２
０におけるソースバスライン１６の電位は、表示動作を行っている第１液晶パネル１０におけるソースバスライン１６の平均電位に収束する。この平均電位は、第１液晶パネル１０における表示画像によってはソースバスライン１６毎に微妙に異なる場合があり、この場合には第２液晶パネル２０の各画素電極と対向電極との各電位差が不均一となり、第２液晶パネル２０の表示画面が見苦しい状態となる。
【００７４】
このような問題を解決するために、液晶表示装置１では、第１液晶パネル１０を表示させかつ第２液晶パネル２０を表示させない状態において、スイッチ部１９を一時的にかつ反復してオン動作（反復一時的オン動作）させ、例えば一定周期にてオン動作させ、第２液晶パネル２０のソースバスライン１６に一定電位を供給するようにしている。
【００７５】
図６は、上記の動作を行うための液晶表示装置１の構成を示すブロック図である。ソースドライバ１５およびゲートドライバ１３，２３には電源回路５１からそれらドライバにおいて必要な電圧が供給され、ソースドライバ１５およびゲートドライバ１３，２３の動作は制御回路（制御手段）５２により制御される。
【００７６】
図７は、第１液晶パネル１０を表示させ、第２液晶パネル２０を表示させない場合において、上記のスイッチ部１９の反復一時的オン動作を行わない場合のソースドライバ１５からの出力信号を示すタイミングチャートである。
【００７７】
図７において、制御信号Ｓ１１と制御信号Ｓ１２はそれぞれゲートドライバ１３用のスタート信号とクロック信号であり、制御信号Ｓ２１と制御信号Ｓ２２はそれぞれゲートドライバ２３用のスタート信号とクロック信号である。スイッチング制御信号Ｓ１は、スイッチング制御信号線１８に供給される、スイッチ部１９のオン／オフ制御のための信号である。映像信号Ｓｉは、ソースバスライン１６に供給される、表示させる画面情報に応じた信号である。
【００７８】
上記の場合、スイッチング制御信号Ｓ１はＬレベルに固定され、スイッチ部１９はオフ状態である。また、制御信号Ｓ２１と制御信号Ｓ２２は共にＨレベルに固定されており、第２液晶パネル２０では走査信号が作成されない。映像信号Ｓｉにおいて、第１液晶パネル１０のゲートバスライン１４の本数に応じた期間が有効映像期間であり、それ以外の期間は無効期間である。なお、無効期間のソースバスライン１６の電位については特に規定していない。
【００７９】
また、図８は、第１液晶パネル１０を表示させず、第２液晶パネル２０を表示させる場合のソースドライバ１５からの出力信号を示すタイミングチャートである。なお、ここではスイッチ部１９の反復一時的オン動作は当然関係がない。
【００８０】
図８に示される場合、スイッチング制御信号Ｓ１は上記の有効映像期間においてＨレベルとなり、このときスイッチ部１９はオン状態である。また、制御信号Ｓ１１と制御信号Ｓ１２は共にＨレベルに固定されており、第１液晶パネル１０では走査信号が作成されない。
【００８１】
一方、図９は、第１液晶パネル１０を表示させ、第２液晶パネル２０を表示させない場合において、スイッチ部１９の反復一時的オン動作を行う場合のソースドライバ１５からの出力信号を示すタイミングチャートである。
【００８２】
図９に示される場合、スイッチング制御信号Ｓ１は、有効映像期間以外の期間のうちの一部期間において、スイッチ部１９の反復一時的オン動作によりＨレベルとなり、それ以外の期間はＬレベルとなる。映像信号Ｓｉは、スイッチング制御信号Ｓ１がＨレベルとなる上記期間を少なくとも含む期間、即ち一定電位供給期間において一定電位に固定される。ここでは、スイッチ部１９の反復一時的オン動作が有効映像期間以外の期間において１垂直期間毎に周期的に行われるようになっている。また、制御信号Ｓ２１と制御信号Ｓ２２は共にＨレベルに固定されており、第２液晶パネル２０では走査信号が作成されない。
【００８３】
上記の動作により、非表示状態の第２液晶パネル２０におけるソースバスライン１６に一定電位が供給され、ＴＦＴ２５のドレイン、即ち画素電極と対向電極との電位差が一定値に保持される。これにより、非表示状態の第２液晶パネル２０において、画面全体の表示状態は均一かつ一定の状態となり、意図しない表示が行われることを防止できる。
【００８４】
なお、スイッチ部１９の反復一時的オン動作は、一定周期で行うことに限定されず、ランダムであっても上記リーク電流による電圧変動をキャンセルできるようなタイミング、あるいは上記リーク電流による電圧変動を無視できるようなタイミング（表示画面上における表示において上記リーク電流による電圧変動に起因する表示状態の変化を無視できるようなタイミング）で行えばよい。ただし、１垂直周期毎あるいは１垂直周期の整数倍周期毎に行うことは、スイッチ部１９の反復一時的オン動作の管理が容易である点において好ましい。
【００８５】
また、スイッチ部１９の反復一時的オン動作によって第２液晶パネル２０のソースバスライン１６に供給される一定電位は、第２液晶パネル２０において例えば白、グレーあるいは黒などの均一表示が行われるものであればよく、特に限定されない。
【００８６】
ただし、上記一定電位としてＧＮＤレベルを設定することは、電位を容易に得ることができるという点において好ましい。
【００８７】
また、上記一定電位として、画素電極と対向電極との電位差を生じさせないような電位、即ち対向電極の電位と同電位を設定することは、リーク電流による電位変動が表示に影響するレベルまで達するのに時間を要し、反復一時的オン動作の間隔を長くすることが可能となり、反復一時的オン動作を行う上で消費する電力消費を軽減できるという点において好ましい。
【００８８】
なお、上記の場合において、上記一定電位は対向電極の電位と厳密に同電位でなくてもよい。即ち、画素電極と対向電極との電位差によって液晶が反応せず、第２液晶パネル２０の表示状態（非表示状態）に変化が生じない電位の範囲であれば上記同電位の条件を満たすと見なし得る。一例として、ＴＮモードでは、ソースバスライン１６に与える一定電圧（画素電極電圧）と対向電極電圧との電位差が１Ｖ以内（±１Ｖ以内）であれば、その電位差によって液晶が反応しないので、表示状態（非表示状態）に変化が生じない。なお、他のモードでは、上記電位差の値が変化するので、設定可能な電位の範囲はそのモードに応じて適宜選択すればよい。
【００８９】
また、上記一定電位としては、駆動されている側の第１液晶パネル１０におけるソースバスライン１６の電圧の平均電圧を設定してもよい。この平均電圧は、スイッチ部１９の反復一時的オン動作を行わない場合に、前述のように、上記リーク電流により第２液晶パネル２０におけるソースバスライン１６の電圧が収束する電圧である。したがって、第２液晶パネル２０のソースバスライン１６に上記平均電圧を与えておけば、リーク電流による電力損失を削減することができる。ソースバスライン１６の電圧が一定周期で交流化されている液晶表示装置などでは、上記平均電圧が分かっているのでこのような一定電位の設定も可能となる。例えば、液晶表示装置のようにソースバスライン１６に印加する電圧の極性を反転させながら表示を行う交流化駆動を行っている場合、基本的には交流化の中間電圧を平均電圧と位置づけることができる。また、直流駆動においても、上記平均電圧
は、例えば入力データ信号を演算（データの総和をライン数で除算）すること等で得られる。これは一例であり、上記平均電圧を求める手法は種々存在し、何れかの手法に限定されない。
【００９０】
また、上記一定電圧としては、例えば電源回路５１からソースドライバ１５に供給される電圧のうちから、上記平均電圧に最も近い電圧を選択し、その電圧を上記一定電位として与えるようにしてもよい。
【００９１】
上記の構成では、液晶表示装置１における電力消費を低減することができる。即ち、上記平均電圧を正確に作成する回路を別途設けた場合、その回路にて電力消費が生じる。一方、既存の電源回路５１を使用し、その複数の出力電圧のうちから平均電圧に最も近い出力電圧を選んで利用した方が電力消費を低減することができる。
【００９２】
また、上記のように、一定電圧（上記平均電圧に最も近い電圧）をスイッチ部１９（スイッチングＴＦＴ１７を介して、第１液晶パネル１０のソースバスライン１６から第２液晶パネル２０のソースバスライン１６に与える場合、上記一定電圧をさらに第２液晶パネル２０の対向電極（ＣＯＭ）２７に与えるのが好ましい。このような構成では、画素電極と対向電極との間の電位差を容易に無くすことができる。
【００９３】
なお、上記平均電圧に最も近い電圧の範囲としては、例えば上記リーク電流の影響が第２液晶パネル２０での表示画面全体を通して明確に視認できない範囲の電圧である。一例として、ＴＮモードでは、ソースバスライン１６に与える一定電圧（画素電極電圧）と対向電極電圧との電位差が１Ｖ以内であれば、上記の条件を満たす。即ち、ＴＮモードでは、画素電極と対向電極との電位差が１Ｖ以内（±１Ｖ以内）であれば、その電位差によって液晶が反応しないので、表示状態（非表示状態）に変化が生じない。なお、他のモードでは、上記電位差の値が変化するので、選択可能な電圧の範囲はそのモードに応じて適宜設定すればよい。
【００９４】
ここで、前記リーク電流による、非表示状態の第２液晶パネル２０での意図しない表示を防止する上において、ゲートバスライン２４の電位については、ソースバスライン１６の電位と比較して重要度が低い。しかしながら、ゲートバスライン２４と対向電極との電位差が大きく、この電位差の影響が第２液晶パネル２０の表示に現れる場合には、ゲートバスライン２４の電位をソースバスライン１６と同様に制御し、ソースバスライン１６と同レベルの電位にすればよい。即ちスイッチ部１９の反復一時的オン動作によりソースバスライン１６に上記一定電位が与えられる期間において、ゲートドライバ２３からゲートバスライン２４に対して、ソースバスライン１６に与えられる電位と同レベルの電位を与えればよい。これにより、ゲートバスライン２４と対向電極との電位差により、ゲートバスライン２４の近傍において意図しない表示が行われ、画面全体として均一な表示状態が得られない事態を防止することができる。なお、ゲートバスライン２４に対してソースバスライン１６に与えられる電位と同レベルの電位についても、前述したソースバスライン１６に与えられる電位の場合と同様、ＴＮモード等のモードに応じて同様の許容範囲を設定可能である。
【００９５】
また、ゲートドライバ２３からゲートバスライン２４に対して上記一定電位を付与する構成については次のようにすることができる。即ち、ゲートドライバ２３は、通常の表示動作において、オン電圧とオフ電圧の２値をスイッチで切り替えて出力している。そこで、これらオン電圧もしくはオフ電圧として上記一定電位を供給し、この電圧を上記スイッチにて切り替えてゲートドライバ２３から出力すればよい。
【００９６】
〔実施の形態２〕
本発明の実施の他の形態を図面に基づいて以下に説明する。
本実施の形態の液晶表示装置（表示装置）２は図１０に示す構成を有している。すなわち、液晶表示装置２は、サブパネル（第１の表示手段）１００とメインパネル（第２の表示手段）２００とを備えたツインパネル構成である。サブパネル１００およびメインパネル２００はアクティブマトリクスパネルである。これらサブパネル１００とメインパネル２００とにおいて、ゲートバスラインを駆動するゲートドライバは、それぞれ専用のゲートドライバ１１３、１２３が備えられ、ソースバスラインを駆動するソースドライバは、サブパネル１００とメインパネル２００とで共用の１個のソースドライバ（ソース信号線駆動回路、一定電位供給手段）１１５が備えられている。
【００９７】
ソースドライバ１１５から出力される表示データ信号は、サブパネル１００のソースバスラインを介してメインパネル２００のソースバスラインに供給される。なお、サブパネル１００のソースバスラインとメインパネル２００のソースバスラインとの接続は、両パネル間に設けられた、柔軟な構造を有する接続部材、例えばＦＰＣ３０を介して行われている。
【００９８】
ここで、メインパネル２００は、サブパネル１００よりも画素数が多く、サブパネル１００よりも高い解像度を有する。したがって、メインパネル２００のソースバスラインはサブパネル１００のソースバスラインよりも多くなっている。このために、液晶表示装置２では、サブパネル１００の１本のソースバスラインをメインパネル２００の複数本のソースバスラインに対応させている。即ち、液晶表示装置２では、サブパネル１００における１本のソースバスラインの表示データ信号を時分割駆動部１１９によってメインパネル２００における複数本（例えば、図１０においては２本）のソースバスラインに与えている。具体的には、複数個の切り替えスイッチからなる時分割駆動部１１９の各切り替えスイッチによって、サブパネル１００における１本のソースバスラインの表示データ信号がメインパネル２００の対応する複数本のソースバスラインに対して時分割により切り替えて与えられる。
【００９９】
このように、画素数が少ないサブパネル１００側に設けられたソースドライバ１１５によって、サブパネル１００は通常の駆動（非時分割駆動）を行い、画素数が多いメインパネル２００は時分割駆動を行うことにより、メインパネル２００ではサブパネル１００よりも高解像度での表示が可能となる。
【０１００】
図１１には、図１０に示した液晶表示装置２の回路図を示す。
液晶表示装置２において、サブパネル１００は、前記第１液晶パネル１０と同様、ＴＦＴ２５が設けられたＴＦＴ基板１１、対向基板１２および液晶層からなる液晶キャパシタ２６を有する。ＴＦＴ基板１１上には、複数のゲートバスライン１４、複数のソースバスライン１６および上記ＴＦＴ２５が配置されている。ＴＦＴ２５は、対向基板１２に設けられた対向電極（ＣＯＭ）２７と前記画素電極との間において画素を構成する液晶キャパシタ２６に電圧を印加する。
【０１０１】
メインパネル２００は、前記第２液晶パネル２０と同様、ＴＦＴ２５が設けられたＴＦＴ基板２１、対向基板２２および液晶層からなる液晶キャパシタ２６を有する。ＴＦＴ基板２１上には、複数のゲートバスライン２４、複数のソースバスライン２８および上記ＴＦＴ２５が配置されている。ＴＦＴ２５は、対向基板２２に設けられた対向電極（ＣＯＭ）２７と前記画素電極との間において画素を構成する液晶キャパシタ２６に電圧を印加する。
【０１０２】
本実施の形態の液晶表示装置２において、時分割駆動部１１９は、メインパネル２００に設けられている。この時分割駆動部１１９は、メインパネル２００のソースバスライン
２８ごとに設けられたスイッチングＴＦＴ１７を備えている。これらスイッチングＴＦＴ１７は、ソースバスライン２８におけるサブパネル１００側の端部に設けられている。
【０１０３】
液晶表示装置２では、サブパネル１００の１本のソースバスライン１６から供給される表示データ信号をメインパネル２００の例えば２本のソースバスライン２８に時分割で与える構成であることから、隣り合う２個のスイッチングＴＦＴ１７が１組となっている。そして、それら２個１組のスイッチングＴＦＴ１７に対応する２本のソースバスライン２８に対して１本のソースバスライン１６がスイッチングＴＦＴ１７を介して導通可能となっている。
【０１０４】
また、時分割駆動部１１９は、各組の第１、第２のスイッチングＴＦＴ１７に対応して第１、第２のスイッチング制御信号線１８ａ，１８ｂを有している。このうち、第１スイッチング制御信号線１８ａは、各組の第１のスイッチングＴＦＴ１７のゲートと接続され、第２スイッチング制御信号線１８ｂは各組の第２のスイッチングＴＦＴ１７のゲートと接続されている。第１、第２のスイッチング制御信号線１８ａ，１８ｂには、各組のスイッチングＴＦＴ１７を時分割駆動するための、即ち各組の２本のソースバスライン２８をそれらに対応する１本のソースバスライン１６と時分割にて接続するためのスイッチング制御信号が供給される。
【０１０５】
さらに、時分割駆動部１１９は、サブパネル１００（サブパネル１００のソースバスライン１６）とメインパネル２００（メインパネル２００のソースバスライン２８）とを切り離す機能も備えている。
【０１０６】
なお、時分割駆動部１１９の配置位置は、例えば配線の効率を考えた場合、メインパネル２００とするのが好ましいものの、サブパネル１００あるいはサブパネル１００とメインパネル２００との間であってもよい。
【０１０７】
ここで、サブパネル１００は、例えば、適用された装置において、時刻、その装置の現在の状態、あるいは何らかの概要情報を示す表示装置として使用され、メインパネル２００は、例えば、操作者の操作に基づいて表示動作を開始する、サブパネル１００での表示情報よりも詳細な情報（何らかの詳細情報）を表示する表示装置として使用される。
【０１０８】
具体的には、例えば図２（ａ）（ｂ）に示すように、本体部４１に対してカバー部４２を開閉可能な折畳式の携帯電話機４０において、サブパネル１００はカバー部４２の外面（折り畳まれた状態における外面）に設けられ、メインパネル２００はカバー部４２の内面（折り畳まれた状態における内面）に設けられる。この状態におけるカバー部４２の要部の縦断面図は図３に示したとおりである。同図に示すように、サブパネル１００とメインパネル２００とは、カバー部４２内部において背中合わせに対向した状態に設けられている。
【０１０９】
上記のように、液晶表示装置２では、解像度の低いサブパネル１００側にソースドライバ１１５を設け、２個の表示パネル（サブパネル１００およびメインパネル２００）を１個の駆動回路（ソースドライバ１１５）によって駆動し、時分割駆動部１１９によって、メインパネル２００を時分割駆動し、かつ２個の表示パネル（サブパネル１００およびメインパネル２００）を切り離せるようにしている。
【０１１０】
上記の携帯電話機４０において、電話による通話時、電子メールの送信操作時および受信メールについての内容確認時等の使用時にはカバー部４２を開いた状態とする。この場合には、サブパネル１００の表示動作がオフとなり、メインパネル２００の表示動作がオンとなる。一方、カバー部４２を閉じた待ち受け状態あるいは非使用状態においては、サ
ブパネル１００の表示動作がオンとなり、メインパネル２００の表示動作がオフとなる。携帯電話機４０においては、通常、例えば一日の内でカバー部４２を開いている状態よりもカバー部４２を閉じている状態の方が多いので、サブパネル１００はメインパネル２００よりも表示頻度が高くなる。
【０１１１】
上記の液晶表示装置２において、カバー部４２を閉じた状態ではサブパネル１００のみの表示動作がオン状態となり、メインパネル２００は表示動作がオフ状態となる。この場合、ソースドライバ１１５からのスイッチング制御信号によって時分割駆動部１１９の全てのスイッチングＴＦＴ１７がオフとなって、ソースドライバ１１５からの表示データ信号はメインパネル２００のソースバスライン２８へは供給されない。また、ゲートドライバ１１３は動作を行う一方、ゲートドライバ１２３は動作を停止する。
【０１１２】
一方、カバー部４２を開いた状態ではメインパネル２００のみの表示動作がオン状態となり、サブパネル１００は表示動作がオフ状態となる。この場合、ソースドライバ１１５からのスイッチング制御信号に従って動作する時分割駆動部１１９のスイッチングＴＦＴ１７により、ソースドライバ１１５からの表示データ信号はメインパネル２００のソースバスライン２８へ供給される。また、ゲートドライバ１１３は動作を停止する一方、ゲートドライバ１２３は動作を行う。
【０１１３】
次に、上記のサブパネル１００およびメインパネル２００の表示動作についてさらに詳細に説明する。
【０１１４】
サブパネル１００を表示させる場合、図１２に示すように、ソースバスライン１６にはソースドライバ１５から表示データ信号が印加され、ゲートバスライン１４にはゲートドライバ１１３からＴＦＴ２５をオン／オフするためのゲート信号が印加される。ここで、ゲートバスライン１４の電圧がＨｉｇｈになると、そのゲートバスライン１４に接続されているＴＦＴ２５がオンとなり、ソースバスライン１６に印加されている表示データ信号が画素（液晶キャパシタ２６）に書き込まれる。
【０１１５】
サブパネル１００の表示駆動においては、ソースバスライン１６−１〜１６−Ｌに表示データ信号を印加し、ゲートバスライン１４−１〜１４−Ｍを線順次駆動することにより、１画面の表示（書き込み）を繰り返し行う。
【０１１６】
このとき、メインパネル２００は表示を行わないので、ソースドライバ１１５から第１、第２のスイッチング制御信号線１８ａ，１８ｂにＬｏｗ電圧を印加して、時分割駆動部１１９の全てのスイッチングＴＦＴ１７をオフとし、メインパネル２００のソースバスライン２８−１〜２８−２Ｌを電気的に切り離す。また、このとき、メインパネル２００のゲートバスライン２４−１〜２４−Ｎの駆動も行わない。
【０１１７】
上記の動作では、解像度の低いサブパネル１００を表示させる場合に、解像度の高いメインパネル２００の負荷を電気的に切り離す。したがって、液晶表示装置２では、消費電力の低減を実現できる。
【０１１８】
一方、メインパネル２００を表示させる場合、図１３に示すように、ソースバスライン１６にはソースドライバ１１５から表示データ信号が印加され、ゲートバスライン２４にはゲートドライバ１２３からＴＦＴ２５をオン／オフするためのゲート信号が印加される。このとき、ゲートバスライン２４の電圧がＨｉｇｈになると、そのゲートバスライン２４に接続されているＴＦＴ２５がオンとなり、ソースバスライン１６に印加されている表示データ信号が画素（液晶キャパシタ２６）に書き込まれる。
【０１１９】
ここで、液晶表示装置２では、ソースドライバ１１５からの表示データ信号を解像度の低いサブパネル１００のソースバスライン１６を介して解像度の高いメインパネル２００のソースバスライン２８に伝えるため、解像度の高いメインパネル２００を時分割駆動させている。
【０１２０】
メインパネル２００の表示駆動においては、ソースバスライン１６−１〜１６−Ｌに表示データ信号を印加し、ゲートバスライン２４−１〜２４−Ｎを線順次駆動することにより、１画面の表示（書き込み）を繰り返し行う。
【０１２１】
このとき、第１液晶パネル１０は表示を行わないものの、メインパネル２００に表示データ信号を印加するため、時分割駆動部１１９のスイッチングＴＦＴ１７のオン／オフを制御する。具体的には、第１、第２のスイッチング制御信号線１８ａ，１８ｂからのスイッチング制御信号によって、それらに接続されたスイッチングＴＦＴ１７のオン／オフを制御し、１組をなす２本のソースバスライン２８、例えばソースバスライン２８−１，２８−２に対して時分割で表示データ信号を与える。ただし、ゲートバスライン１４−１〜１４−Ｍの駆動は行わない。
【０１２２】
上記の動作では、解像度の高いメインパネル２００を表示する場合には、解像度の低いサブパネル１００の負荷を電気的に切り離すことができず、余分な電力を必要とする。しかしながら、解像度の高いメインパネル２００と解像度の低いサブパネル１００とを備えたツインパネル構成では、折畳式の携帯電話機４０等において、通常、解像度の低いサブパネル１００は相対的に表示頻度が高い用途に使用され、解像度の高いメインパネル２００は表示頻度が低い用途に使用される。したがって、液晶表示装置２では、その使用状態において、メインパネル２００が表示を行う上記の状態を生じる頻度が低くなり、液晶表示装置２全体としては消費電力の低減を実現できる。
【０１２３】
なお、上記の電気的負荷は、主にゲートバスライン１４とクロスする箇所での絶縁部の容量、およびＴＦＴ２５部分での寄生容量などに起因するものである。
【０１２４】
以上の実施の形態において、容量性の負荷と接続されるスイッチングＴＦＴ１７としては、図１４に示すような構成としてもよい。同図に示すスイッチングＴＦＴ１７は、ＮチャンネルのＭＯＳＦＥＴ３０１とＰチャンネルＭＯＳＦＥＴ３０２とインバータ３０３とからなる。このようなＣＭＯＳの構成では、片チャンネルの構成よりも、正確なスイッチング動作が可能である点は勿論、能力の点でも電圧レベルの制御を安定に行い得るという点で好ましい。なお、スイッチング動作としては、片チャンネルのスイッチング素子からなる構成でも問題はない。
【０１２５】
なお、液晶表示装置２において、サブパネル１００とメインパネル２００との解像度の組み合わせは、メインパネル２００の時分割駆動を何分割の駆動にするかによって自由に決定することができる。本実施の形態においては、メインパネル２００について２分割の時分割駆動を行っているので、メインパネル２００はサブパネル１００の解像度の２倍までの解像度にて表示が可能である。
【０１２６】
また、液晶表示装置２では、時分割駆動部１１９のスイッチングＴＦＴ１７が時分割駆動用のスイッチ、およびサブパネル１００とメインパネル２００との切り離し用のスイッチを兼用しているので、それぞれ専用のスイッチを設ける場合と比較して、部品点数が少なく構成が簡単、かつ低コストとなっている。
【０１２７】
また、携帯電話機４０において、ソースドライバ１５（１１５）が設けられている側の第１液晶パネル１０（サブパネル１００）、言い換えるとカバー部４２の外面に設けられている第１液晶パネル１０（サブパネル１００）は、カバー部４２を開いたときに表示動作がオフとなる構成に限らず、カバー部４２の開閉にかかわらず表示動作が常時オンである構成としてもよい。
【０１２８】
以上の実施の形態では、スイッチングＴＦＴ１７は、ソースドライバ１５またはソースドライバ１１５からの信号により駆動するものとしているが、他の駆動回路によって駆動する構成としてもよい。
【０１２９】
ここで、本実施の形態の液晶表示装置２では、上記のように、ソースドライバ１１５が設けられている側のサブパネル１００のみを表示させ、ソースドライバ１１５が設けられていない側のメインパネル２００を表示させない場合に、時分割駆動部１１９によってメインパネル２００をサブパネル１００から切り離している。この場合には、液晶表示装置１の場合と同様、メインパネル２００の表示において次のような不具合が発生する。
【０１３０】
即ち、時分割駆動部１１９のスイッチングＴＦＴ１７は、オフ状態の抵抗値がオン状態の抵抗値の１０００倍以上となるものの、オフ状態において絶縁状態となる訳ではなく、一定のリーク電流が発生する。このリーク電流により、駆動されていない側のメインパネル２００におけるソースバスライン２８の電位は漸次変化して行き、最終的には駆動されている側のサブパネル１００におけるソースバスライン１６の電圧の平均電圧に収束する。このため、メインパネル２００のＴＦＴ２５のドレイン、即ちドレインと接続されている画素電極に漸次変化するソースバスライン２８の電圧が与えられ、この電圧と対向電極の電圧との電位差の変化に応じてメインパネル２００の表示状態が変化する。この結果、駆動されていないメインパネル２００において意図しない表示が行われることになる。
【０１３１】
また、時分割駆動部１１９をオフ動作させている期間中（メインパネル２００が表示動作を行わない期間中）において、時分割駆動部１１９に反復一時的オン動作をさせなかった場合、時分割駆動部１１９におけるスイッチングＴＦＴ１７のリーク電流によりメインパネル２００におけるソースバスライン２８の電位は、表示動作を行っているサブパネル１００におけるソースバスライン１６の平均電位に収束する。この平均電位は、サブパネル１００における表示画像によってはソースバスライン２８毎に微妙に異なる場合があり、この場合にはメインパネル２００の各画素電極と対向電極との各電位差が不均一となり、メインパネル２００の表示画面が見苦しい状態となる。
【０１３２】
このような問題を解決するために、液晶表示装置２では、サブパネル１００を表示させかつメインパネル２００を表示させない状態において、時分割駆動部１１９を一時的にかつ反復してオン動作させ、例えば一定周期にてオン動作させ、メインパネル２００のソースバスライン２８に一定電位を供給するようにしている。このような動作を行うための液晶表示装置２の構成は図６に示したとおりである。
【０１３３】
図１５は、サブパネル１００を表示させ、メインパネル２００を表示させない場合において、上記の時分割駆動部１１９の反復一時的オン動作を行わない場合のソースドライバ１１５からの出力信号を示すタイミングチャートである。
【０１３４】
図１５において、制御信号Ｓ１１と制御信号Ｓ１２はそれぞれゲートドライバ１１３用のスタート信号とクロック信号であり、制御信号Ｓ２１と制御信号Ｓ２２はそれぞれゲートドライバ１２３用のスタート信号とクロック信号である。スイッチング制御信号Ｓ１，Ｓ２は、それぞれ第１、第２のスイッチング制御信号線１８ａ，１８ｂに供給される、時分割駆動部１１９におけるスイッチングＴＦＴ１７のオン／オフ制御のための信号である。映像信号Ｓｉは、ソースバスライン１６，２８に供給される、表示させる画面情報に応じた信号である。
【０１３５】
上記の場合、スイッチング制御信号Ｓ１，Ｓ２は共にＬレベルに固定され、時分割駆動部１１９はオフ状態である。また、制御信号Ｓ２１と制御信号Ｓ２２は共にＨレベルに固定されており、メインパネル２００では走査信号が作成されない。映像信号Ｓｉにおいて、サブパネル１００のゲートバスライン１４の本数に応じた期間が有効映像期間であり、それ以外の期間は無効期間である。なお、無効期間のソースバスライン１６の電位については特に規定していない。
【０１３６】
また、図１６は、サブパネル１００を表示させず、メインパネル２００を表示させる場合のソースドライバ１１５からの出力信号を示すタイミングチャートである。なお、ここでは時分割駆動部１１９の反復一時的オン動作は当然関係がない。
【０１３７】
図１６に示される場合、スイッチング制御信号Ｓ１，Ｓ２は上記の有効映像期間において交互にＨレベルとなり、それに応じて時分割駆動部１１９のスイッチングＴＦＴ１７はオン／オフ動作を行う。また、制御信号Ｓ１１と制御信号Ｓ１２は共にＨレベルに固定されており、サブパネル１００では走査信号が作成されない。
【０１３８】
一方、図１７は、サブパネル１００を表示させ、メインパネル２００を表示させない場合において、時分割駆動部１１９の反復一時的オン動作を行う場合のソースドライバ１１５からの出力信号を示すタイミングチャートである。
【０１３９】
図１７に示される場合、スイッチング制御信号Ｓ１，Ｓ２は、有効映像期間以外の期間のうちの一部期間において、時分割駆動部１１９の反復一時的オン動作により共にＨレベルとなり、それ以外の期間はＬレベルとなる。映像信号Ｓｉは、スイッチング制御信号Ｓ１，Ｓ２がＨレベルとなる上記期間を少なくとも含む期間、即ち一定電位供給期間において一定電位に固定される。ここでは、時分割駆動部１１９の反復一時的オン動作が有効映像期間以外の期間において１垂直期間毎に周期的に行われるようになっている。また、制御信号Ｓ２１と制御信号Ｓ２２は共にＨレベルに固定されており、メインパネル２００では走査信号が作成されない。
【０１４０】
上記の動作により、非表示状態のメインパネル２００におけるソースバスライン１１６に一定電位が供給され、ＴＦＴ２５のドレイン、即ち画素電極と対向電極との電位差が一定値に保持される。これにより、非表示状態のメインパネル２００において、画面全体の表示状態は均一かつ一定の状態となり、意図しない表示が行われることを防止できる。
【０１４１】
なお、時分割駆動部１１９の反復一時的オン動作は、一定周期で行うことに限定されない点は、液晶表示装置１の場合と同様である。ただし、１垂直周期毎あるいは１垂直周期の整数倍周期毎に行うことは、時分割駆動部１１９の反復一時的オン動作の管理が容易であるので好ましい点についても、液晶表示装置１の場合と同様である。
【０１４２】
また、時分割駆動部１１９の反復一時的オン動作によってメインパネル２００のソースバスライン２４に供給される一定電位は特に限定されない点、および上記一定電位として選択可能な電位については、液晶表示装置１において説明した電位を使用可能である。
【０１４３】
また、ゲートバスライン２４の電位による影響を防止するため、ゲートバスライン２４の電位も制御するのが好ましい点についても、液晶表示装置１の場合と同様である。
【０１４４】
上記の表示装置および表示装置の駆動方法において、前記一定電位は第２の表示手段の対向電極の電位と同レベルである構成としてもよい。
【０１４５】
上記の構成によれば、表示動作を行っていない第２の表示手段では、画素電極と対向電極との電位差を一定にする上において、画素電極と対向電極との電位差がほぼ生じず、リーク電流による電位変動が表示に影響するレベルまで達するのに時間を要する。したがって、反復一時的オン動作の間隔を長くすることが可能となり、反復一時的オン動作を行う上で消費する電力消費を軽減できる。
【０１４６】
上記の表示装置および表示装置の駆動方法は、前記反復一時的オン動作の期間中における前記一定電位および第２の表示手段の対向電極の電位を共にＧＮＤレベルとする構成としてもよい。
【０１４７】
上記の構成によれば、表示動作を行っていない第２の表示手段では、画素電極と対向電極との電位差を一定にする上において、そのための電位を容易に得ることができる。
【０１４８】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０１４９】
本発明の表示装置は、複数の表示部を有し、専らＡＣ電源を使用する据え置き型、固定型の装置にも利用可能であるのものの、携帯電話機やＰＤＡ（Personal Digital Assistants）等、複数の表示部を有し、電池駆動を行うために低消費電力化が要求される携帯装
置に特に好適である。
【図面の簡単な説明】
【０１５０】
【図１】本発明の実施の一形態における表示装置の構成を示す回路図である。
【図２】図２（ａ）は、図１に示した表示装置を備えている携帯電話機のカバー部を閉じた折畳状態を示す斜視図、図２（ｂ）は同携帯電話機のカバー部を開いた状態を示す斜視図である。
【図３】図２に示した携帯電話機におけるカバー部の要部を示す縦断面図である。
【図４】図１に示した表示装置における第１液晶パネルを表示させる場合の動作を示すタイミングチャートである。
【図５】図１に示した表示装置における第２液晶パネルを表示させる場合の動作を示すタイミングチャートである。
【図６】図１に示した表示装置の構成を示すブロック図である。
【図７】図１に示した表示装置において、第１液晶パネルを表示させ、第２液晶パネルを表示させない場合に、スイッチ部の反復一時的オン動作を行わない場合のソースドライバからの出力信号を示すタイミングチャートである。
【図８】図１に示した表示装置において、第１液晶パネルを表示させず、第２液晶パネルを表示させる場合のソースドライバからの出力信号を示すタイミングチャートである。
【図９】図１に示した表示装置において、第１液晶パネルを表示させ、第２液晶パネルを表示させない場合に、スイッチ部の反復一時的オン動作を行う場合のソースドライバからの出力信号を示すタイミングチャートである。
【図１０】本発明の実施の他の形態における表示装置の概略構成を示す正面図である。
【図１１】図１０に示した表示装置の構成を示す回路図である。
【図１２】図１１に示した表示装置におけるサブパネルを表示させる場合の動作を示すタイミングチャートである。
【図１３】図１１に示した表示装置におけるメインパネルを表示させる場合の動作を示すタイミングチャートである。
【図１４】図１１に示したスイッチングＴＦＴの他の例を示す回路図である。
【図１５】図１１に示した表示装置において、サブパネルを表示させ、メインパネルを表示させない場合に、スイッチ部の反復一時的オン動作を行わない場合のソースドライバからの出力信号を示すタイミングチャートである。
【図１６】図１１に示した表示装置において、サブパネルを表示させず、メインパネルを表示させる場合のソースドライバからの出力信号を示すタイミングチャートである。
【図１７】図１１に示した表示装置において、サブパネルを表示させ、メインパネルを表示させない場合に、スイッチ部の反復一時的オン動作を行う場合のソースドライバからの出力信号を示すタイミングチャートである。
【図１８】従来のツインパネル構成の表示装置を示す回路図である。
【符号の説明】
【０１５１】
1,2    液晶表示装置（表示装置）
１０    第１液晶パネル（第１の表示手段）
11,21    ＴＦＴ基板
１４    ゲートバスライン（ゲート信号線）
１５    ソースドライバ（ソース信号線駆動回路、一定電位供給手段）
１６    ソースバスライン（ソース信号線）
１７    スイッチングＴＦＴ（第２のスイッチング手段）
１８    スイッチング制御信号線
１８ａ  第１のスイッチング制御信号線
１８ｂ  第２のスイッチング制御信号線
１９    スイッチ部
２０    第２液晶パネル（第２の表示手段）
２５    ＴＦＴ（第１のスイッチング手段）
２６    液晶キャパシタ
２７    対向電極
２８    ソースバスライン（ソース信号線）
３０    ＦＰＣ
４０    携帯電話機
４１    本体部（第１の筐体部）
４２    カバー部（第２の筐体部）
５１    電源回路
５２    制御回路（制御手段）
１００    サブパネル（第１の表示手段）
１１５    ソースドライバ（ソース信号線駆動回路、一定電位供給手段）
１１９    時分割駆動部
２００    メインパネル（第２の表示手段）
【図１】
2008268976.tif 000003
【図２】
2008268976.tif 000004
【図３】
2008268976.tif 000005
【図４】
2008268976.tif 000006
【図５】
2008268976.tif 000007
【図６】
2008268976.tif 000008
【図７】
2008268976.tif 000009
【図８】
2008268976.tif 000010
【図９】
2008268976.tif 000011
【図１０】
2008268976.tif 000012
【図１１】
2008268976.tif 000013
【図１２】
2008268976.tif 000014
【図１３】
2008268976.tif 000015
【図１４】
2008268976.tif 000016
【図１５】
2008268976.tif 000017
【図１６】
2008268976.tif 000018
【図１７】
2008268976.tif 000019
【図１８】
2008268976.tif 000020